(57)【要約】【課題】  止着ネジなどの微小部品の使用や、ロウ付けなどの面倒な加工をせずとも簡単にパッドアームを取り付けることができる眼鏡のネジ無しノーズパッドアーム止着機構を提供すること。【解決手段】  ブリッジ２の接眼側には互いに平行な少なくとも複数の差込ピン21を突設する一方、パッドアーム３は、股座部３ａの両側から持出アーム３ｂ・３ｂを二股状に延出して成り、前記両持出アーム３ｂの各先端にはノーズパッド31をそれぞれ保持するとともに、弾性変形可能な材料から成る固定部品４には、前記差込ピン21の対向位置に止着孔41を形成し、前記パッドアーム３の股座部３ａを挟持した状態で、前記ブリッジ２の差込ピン21を固定部品４の止着孔41内に緊嵌状態に挿入させることによって、パッドアーム３をブリッジ２に取り付け可能にするという技術的手段を採用した。【選択図】  図１
2008051844.tif 000002
【特許請求の範囲】
【請求項１】
左右一対のレンズ１・１がブリッジ２によって連結されて構成されるフロント枠Ｆを有する眼鏡において、パッドアーム３を取り付けるための機構であって、
前記ブリッジ２の接眼側には、互いに平行な少なくとも複数の差込ピン21が突設されている一方、
前記パッドアーム３は、股座部３ａの両側から持出アーム３ｂ・３ｂが二股状に延出されて成り、前記両持出アーム３ｂの各先端にはノーズパッド31がそれぞれ保持されているとともに、
弾性変形可能な材料から成る固定部品４には、前記差込ピン21の対向位置に止着孔41が形成されており、
前記パッドアーム３の股座部３ａを挟持した状態で、前記ブリッジ２の差込ピン21が固定部品４の止着孔41内に緊嵌状態に挿入することによって、パッドアーム３をブリッジ２に取り付け可能であることを特徴とする眼鏡のネジ無しノーズパッドアーム止着機構。
【請求項２】
ブリッジ２の差込ピン21の周面の少なくとも一部に緊嵌突起21ａが成形されていることを特徴とする請求項１記載の眼鏡のネジ無しノーズパッドアーム止着機構。
【請求項３】
パッドアーム３の股座部３ａに回止めボックス32が配設され、この回止めボックス32が固定部品４に成形された嵌合凹部42に嵌合することを特徴とする請求項１または２記載の眼鏡のネジ無しノーズパッドアーム止着機構。
【請求項４】
パッドアーム３の股座部３ａに挿通孔33が開設されており、この挿通孔33にブリッジ２の差込ピン21が挿通可能であることを特徴とする請求項１〜３の何れか一つに記載の眼鏡のネジ無しノーズパッドアーム止着機構。
【発明の詳細な説明】
【技術分野】
【０００１】
本発明は、眼鏡構造の改良、更に詳しくは、止着ネジなどの微小部品の使用や、ロウ付けなどの面倒な加工をせずとも簡単にパッドアームを取り付けることができる眼鏡のネジ無しノーズパッドアーム止着機構に関するものである。
【背景技術】
【０００２】
周知のとおり、眼鏡は多くの部品から組み立てられており、眼鏡フロント枠における略中央部両側には左右一対のパッドアームが配設されており、先端にはノーズパッドが保持されている。
【０００３】
ところで、このパッドアームはブリッジやリムに固定されていることが多く、従来、その固定手段にはネジ止めなどが採用されていたが（例えば、特許文献１参照）、微小な部品を取り扱うため、技巧と熟練が必要で時間と手間がかかってしまうとともに、誤って止着部品を紛失してしまうおそれもあった。
【０００４】
また、固定手段にはロウ付けや溶接などが採用されることもあったが（例えば、特許文献２参照）、例えば、壊れて修理する際にもそのための設備が必要であり、店舗では複雑な作業をすることができず、時間と手間がかかってしまうという不満があった。
【特許文献１】特開２００２−１０７６７５号公報（第２−４頁、図６）
【特許文献２】特開２００５−１２２０６４号公報（第４−５頁、図１−２）
【発明の開示】
【発明が解決しようとする課題】
【０００５】
本発明は、従来の眼鏡構造に上記のような問題があったことに鑑みて為されたものであり、その目的とするところは、止着ネジなどの微小部品の使用や、ロウ付けなどの面倒な加工をせずとも簡単にパッドアームを取り付けることができる眼鏡のネジ無しノーズパッドアーム止着機構を提供することにある。
【課題を解決するための手段】
【０００６】
本発明者が上記課題を解決するために採用した手段を添付図面を参照して説明すれば次のとおりである。
【０００７】
即ち、本発明は、左右一対のレンズ１・１がブリッジ２によって連結されて構成されるフロント枠Ｆを有する眼鏡において、パッドアーム３を取り付けるための機構であって、
前記ブリッジ２の接眼側には互いに平行な少なくとも複数の差込ピン21を突設する一方、
前記パッドアーム３は、股座部３ａの両側から持出アーム３ｂ・３ｂを二股状に延出して成り、前記両持出アーム３ｂの各先端にはノーズパッド31をそれぞれ保持するとともに、
弾性変形可能な材料から成る固定部品４には、前記差込ピン21の対向位置に止着孔41を形成し、
前記パッドアーム３の股座部３ａを挟持した状態で、前記ブリッジ２の差込ピン21を固定部品４の止着孔41内に緊嵌状態に挿入させることによって、パッドアーム３をブリッジ２に取り付け可能にするという技術的手段を採用した。
【０００８】
また、本発明は、上記課題を解決するために、必要に応じて上記手段に加え、ブリッジ２の差込ピン21の周面の少なくとも一部に緊嵌突起21ａを成形するという技術的手段を採用した。
【０００９】
更にまた、本発明は、上記課題を解決するために、必要に応じて上記手段に加え、パッドアーム３の股座部３ａに回止めボックス32を配設し、この回止めボックス32を固定部品４に成形した嵌合凹部42に嵌合させるという技術的手段を採用した。
【００１０】
更にまた、本発明は、上記課題を解決するために、必要に応じて上記手段に加え、パッドアーム３の股座部３ａに挿通孔33を開設して、この挿通孔33にブリッジ２の差込ピン21を挿通可能にするという技術的手段を採用した。
【発明の効果】
【００１１】
本発明の止着機構によれば、パッドアームが股座部の両側から持出アームを二股状に延出して成り、前記両持出アームの各先端にはノーズパッドをそれぞれ保持するとともに、弾性変形可能な材料から成る固定部品には、前記差込ピンの対向位置に止着孔を形成し、前記パッドアームの股座部を挟持した状態で、前記ブリッジの差込ピンを固定部品の止着孔内に緊嵌状態に挿入させることによって、パッドアームをブリッジに取り付けることができる。
【００１２】
このように、止着ネジなどの微小部品の使用や、ロウ付けなどの面倒な加工をせずとも簡単にパッドアームを取り付けることができることから、眼鏡における実用的利用価値は頗る高いものがある。
【発明を実施するための最良の形態】
【００１３】
本発明を実施するための最良の形態を具体的に図示した図面に基づいて更に詳細に説明すると、次のとおりである。
【００１４】
本発明の実施形態を図１から図６に基づいて説明する。図中、符号１で指示するものはレンズであり、符号２で指示するものは、これら左右一対のレンズ１・１を連結するブリッジである。
【００１５】
また、符号３で指示するものはパッドアームであり、このパッドアーム３は、股座部３ａの両側から持出アーム３ｂ・３ｂが二股状に延出されて成り、前記両持出アーム３ｂの各先端にはノーズパッド31がそれぞれ保持されている。
【００１６】
更にまた、符号４で指示するものは固定部品であり、この固定部品４は、弾性変形可能な材料（例えば、ナイロン系樹脂やアクリル系樹脂、合成ゴムなどの軟質な合成樹脂）から成り、前記差込ピン21の対向位置には止着孔41が形成されている。
【００１７】
しかして、本発明の交換自在な眼鏡のノーズパッドアームは、図１に示すように、左右一対のレンズ１・１がブリッジ２によって連結されて構成されるフロント枠Ｆを有する眼鏡において、パッドアーム３を取り付けるための機構であって、構成するにあっては、まず、前記ブリッジ２の接眼側には、互いに平行な少なくとも複数（本実施形態では、２本）の差込ピン21を突設する（図２参照）。本実施形態では、ブリッジ２の差込ピン21の周面の少なくとも一部に緊嵌突起21ａを成形することができ、差込ピン21を抜け難くすることができる。
【００１８】
次に、パッドアーム３は、股座部３ａの両側から持出アーム３ｂ・３ｂが二股状に延出されて成り、前記両持出アーム３ｂの各先端にはノーズパッド31をそれぞれ保持する。なお、本実施形態では、このパッドアーム３の本体をβ−チタンで作製するとともに、ノーズパッド31には滑り難いシリコン材料を採用することができる。
【００１９】
また、固定部品４には、前記ブリッジ２の差込ピン21の対向位置に止着孔41を形成する（図３参照）。本実施形態では、パッドアーム３の股座部３ａに回止めボックス32を配設して、この回止めボックス32を固定部品４に成形した嵌合凹部42に嵌合させることができる。
【００２０】
そして、前記パッドアーム３の股座部３ａを挟持した状態で、前記ブリッジ２の差込ピン21を固定部品４の止着孔41内に挿入する。この際、差込ピン21が止着孔41を押し拡げて変形されることにより、緊嵌状態に挿入することができる。このようにして、パッドアーム３をブリッジ２に取り付けることができるのである（図４および５参照）。
【００２１】
なお、本実施形態では、図６に示すように、パッドアーム３の股座部３ａに挿通孔33を開設することができ、この挿通孔33にブリッジ２の差込ピン21を挿通可能にすることができ、そこに固定部品４を取り付けることで、パッドアーム３を簡単かつ確実に止着することができる。
【００２２】
本発明は概ね上記のように構成されるが、図示の実施形態に限定されるものでは決してなく、「特許請求の範囲」の記載内において種々の変更が可能であって、例えば、ブリッジ２の差込ピン21の配設位置や数量は適宜変更することができる。また、固定部品４の使用材料は弾性材料であれば、他の材料でも良く、これら何れのものも、本発明の技術的範囲に属する。
【図面の簡単な説明】
【００２３】
【図１】本発明の実施形態の眼鏡を表わす全体斜視図である。
【図２】本発明の実施形態の止着機構を表わす部分斜視図である。
【図３】本発明の実施形態の固定部品を表わす斜視図である。
【図４】本発明の実施形態の止着機構を表わす部分上面図である。
【図５】本発明の実施形態の止着機構を表わす部分上面図である。
【図６】本発明の実施形態の止着機構の変形例を表わす部分斜視図である。
【符号の説明】
【００２４】
１    レンズ
２    ブリッジ
21    差込ピン
21ａ  緊嵌突起
３    パッドアーム
３ａ  股座部
３ｂ  持出アーム
31    ノーズパッド
32    回止めボックス
33    挿通孔
４    固定部品
41    止着孔
42    嵌合凹部
Ｆ    フロント枠
【図１】
2008051844.tif 000003
【図２】
2008051844.tif 000004
【図３】
2008051844.tif 000005
【図４】
2008051844.tif 000006
【図５】
2008051844.tif 000007
【図６】
2008051844.tif 000008